(57)【要約】【課題】手袋への取り付けが容易であり、かつ手袋を外すときにも邪魔にならず手袋から外れにくい手袋落下防止具を提供する。【解決手段】面ファスナーを設けた挿入用開口部２００を有する手袋１００の落下を防止するための手袋落下防止具１０であって、面ファスナーを設けた脱着部１１と脱着部１１に取り付けられた環状部１２とを有し、環状部１２を手首に通し、脱着部１１を挿入用開口部２００の面ファスナー１１１ａ、１１２ｂの間に挿入した後、挿入用開口部２００の面ファスナー１１１ａ，１１２ｂを貼り合わせる。【選択図】図２
2019099944.tif 000002
【特許請求の範囲】
【請求項１】
面ファスナーを設けた挿入用開口部を有する手袋の落下を防止するための手袋落下防止具であって、
面ファスナーを設けた脱着部と前記脱着部に取り付けられた環状部とを有し、
前記環状部を手首に通し、前記脱着部を前記挿入用開口部の面ファスナーの間に挿入した後、前記挿入用開口部の面ファスナーを貼り合わせることを特徴とする手袋落下防止具。
【請求項２】
前記脱着部の表裏に面ファスナーが設けられていることを特徴とする請求項１に記載の手袋落下防止具。
【請求項３】
前記脱着部の大きさが前記挿入用開口部の面ファスナーの大きさよりも小さいことを特徴とする請求項１又は請求項２に記載の手袋落下防止具。
【発明の詳細な説明】
【技術分野】
【０００１】
本発明は、手袋落下防止具に関するものである。
【背景技術】
【０００２】
従来、工事等の各種作業において、作業者は安全のために手袋を装着して作業を行っている。作業用手袋には様々なタイプがあるが、手を挿入する挿入用開口部に手首を締め付けて固定するための面ファスナーを設けて、面ファスナーを貼り付けることで手袋が外れないようにするものが多く用いられている。
【０００３】
一方、タブレット端末等の各種機器の操作や筆記具を用いる場合など、細かい作業をするためには手袋を外す必要がある。その際には、外した手袋を脇に挟んだり、口にくわえたり、傍に置いたりして、細かい作業を行い、その後で再び手袋を装着していた。
【０００４】
しかしながら、外した手袋を脇に挟んだり、口にくわえたりすると、細かい作業の支障になり、また傍に置くと紛失の原因となっていた。
【０００５】
これに対して、例えば特許文献１には、クリップ状の係止具２と腕輪３からなる手袋紛失防止具に関する発明が記載されており、腕輪３を手首に巻き付けるとともに、クリップ状の係止具２を手袋に着脱自在に連結するようになっている。
【先行技術文献】
【特許文献】
【０００６】
【特許文献１】実用新案登録第３１９８６６１号公報
【発明の概要】
【発明が解決しようとする課題】
【０００７】
しかしながら、特許文献１に記載された手袋紛失防止具は、クリップ状の係止具２を手袋に連結するものであるため、手袋への取り付け時にクリップを開く必要があり面倒である。また、手袋を外すときに、クリップ状の係止具２が邪魔になったり手袋から外れてしまうおそれがある。
【０００８】
本発明は、上記従来の課題を解決するものであり、手袋への取り付けが容易であり、かつ手袋を外すときにも邪魔にならず手袋から外れにくい手袋落下防止具を提供するものである。
【課題を解決するための手段】
【０００９】
上記課題を解決するため、本発明の手袋落下防止具は、面ファスナーを設けた挿入用開口部を有する手袋の落下を防止するための手袋落下防止具であって、面ファスナーを設けた脱着部と前記脱着部に取り付けられた環状部とを有し、前記環状部を手首に通し、前記脱着部を前記挿入用開口部の面ファスナーの間に挿入した後、前記挿入用開口部の面ファスナーを貼り合わせることを特徴とする。
【００１０】
また好ましくは、前記脱着部の表裏に面ファスナーが設けられていることを特徴とする。
【００１１】
また好ましくは、前記脱着部の大きさが前記挿入用開口部の面ファスナーの大きさよりも小さいことを特徴とする。
【発明の効果】
【００１２】
本発明の手袋落下防止具は、面ファスナーを設けた挿入用開口部を有する手袋の落下を防止するための手袋落下防止具である。そして、面ファスナーを設けた脱着部と脱着部に取り付けられた環状部とを有しており、環状部を手首に通し、脱着部を挿入用開口部の面ファスナーの間に挿入した後、挿入用開口部の面ファスナーを貼り合わせるようになっている。従って、脱着部を挿入用開口部の面ファスナーの間に挿入して貼り合わせるだけで、手袋に容易に取り付けることができる。また、手袋を外すときにも、脱着部が挿入用開口部の面ファスナーに貼りついたままであるため、邪魔にならず手袋から外れにくい。
【００１３】
また、脱着部の表裏に面ファスナーが設けられている場合には、脱着部をより強固に手袋に取り付けることができる。
【００１４】
また、脱着部の大きさが挿入用開口部の面ファスナーの大きさよりも小さい場合には、挿入用開口部の面ファスナーが部分的に直接貼り付けられるので、手首を固定しやすく、また面ファスナーを脱着部の片面のみに設けることができる。
【００１５】
このように、本発明によれば、手袋への取り付けが容易であり、かつ手袋を外すときにも邪魔にならず手袋から外れにくい手袋落下防止具を提供することができる。
【図面の簡単な説明】
【００１６】
【図１】本発明の実施形態１に係る手袋落下防止具を示す（Ａ）平面図、（Ｂ）底面図である。
【図２】実施形態１に係る手袋落下防止具の使用状態を示す図である。
【図３】本発明の実施形態２に係る手袋落下防止具を示す（Ａ）平面図、（Ｂ）底面図である。
【図４】実施形態２に係る手袋落下防止具の使用状態を示す図である。
【図５】他の実施形態に係る手袋落下防止具を示す平面図である。
【発明を実施するための形態】
【００１７】
次に、図１乃至図５を参照して、本発明の実施形態に係る手袋落下防止具について説明する。
【００１８】
（実施形態１）
図１は、本発明の実施形態１に係る手袋落下防止具１０を示す（Ａ）平面図、（Ｂ）底面図であり、図２は、実施形態１に係る手袋落下防止具１０の使用状態を示す図である。
【００１９】
図１に示すように、手袋落下防止具１０は、脱着部１１と脱着部１１に取り付けられた環状部１２とを有している。脱着部１１は、矩形状の面部材であり、裏表に面ファスナー１１ａ，１１ｂが設けられている。面ファスナー１１ａ，１１ｂは、一方がフック状に起毛された側であり、他方がループ状に密集して起毛された側である。
【００２０】
環状部１２は、作業者の手首に通すことのできる大きさの紐状部材である。材料は特に限定されないが、ゴム製とすることが好ましい。環状部１２は、脱着部１１の面部材の間に挿入されて縫着されている。
【００２１】
手袋落下防止具１０は、図２に示すような手袋１００の落下を防止するためのものである。手袋１００は、手首部１１０、掌部１２０及び指部１３０から構成されている。そして、手袋１００に手を挿入するための挿入用開口部２００には、面ファスナーが設けられている。
【００２２】
手袋１００の手首部１１０は、手首に巻き付くように帯状に構成されており、帯状に構成された手首部１１０の両端が重ね合わされている。そして、重ね合された部分のうち、下側部１１１の表面には面ファスナー１１１ａが、上側部１１２の裏面には面ファスナー１１２ｂが、それぞれ設けられている。そして、手袋の装着時には、挿入用開口部２００から手を挿入した後、帯状に構成された手首部１１０の下側部１１１の上に上側部１１２を覆い被せるようにして、面ファスナー１１１ａと面ファスナー１１２ｂとを貼り合わせて固定するようになっている。面ファスナー１１１ａ，１１２ｂは、一方がフック状に起毛された側であり、他方がループ状に密集して起毛された側である。なお、手袋落下防止具１０の脱着部１１の大きさは、手袋１００の挿入用開口部２００の面ファスナー１１１ａ，１１２ｂの大きさとほぼ同一になっている。
【００２３】
次に、図２を参照して、実施形態１に係る手袋落下防止具１０の使用方法について説明する。まず、手袋落下防止具１０の環状部１２を手首に通す。次に、手袋１００の挿入用開口部２００から手を挿入する。次に、手首部１１０の面ファスナー１１１ａ，１１２ｂを貼り合わせる前に、手袋落下防止具１０の脱着部１１を面ファスナー１１１ａに貼り付ける。そして、手首部１１０の下側部１１１の上に上側部１１２を覆い被せるようにして、面ファスナー１１１ａと面ファスナー１１２ｂとを貼り合わせる。このとき、面ファスナー１１１ａと面ファスナー１１２ｂとの間には、手袋落下防止具１０の脱着部１１が挿入されているので、面ファスナー１１２ｂは脱着部１１に貼り合わされる。すなわち、面ファスナー１１１ａと面ファスナー１１２ｂとは、脱着部１１を介して貼り合わされた状態になる。このようにして、手袋１００の装着が完了する。
【００２４】
作業者が細かい作業をするために手袋１００を外す場合には、手首部１１０の下側部１１１から上側部１１２を剥がすようにする。そうすると、面ファスナー１１１ａと面ファスナー１１２ｂとの間に挿入された状態の脱着部１１は、面ファスナー１１１ａか面ファスナー１１２ｂのいずれかに貼りついたままの状態になる。従って、手袋１００は、手袋落下防止具１０を介して手首にぶら下がった状態となり、落下することはない。細かい作業が終了して再び装着する場合には、改めて挿入用開口部２００から手を挿入し、手首部１１０の下側部１１１の上に上側部１１２を覆い被せるようにして、面ファスナー１１１ａと面ファスナー１１２ｂとを貼り合わせればよい。
【００２５】
なお、本実施形態では、手袋落下防止具１０の脱着部１１の大きさを、手袋１００の面ファスナー１１１ａ，１１２ｂの大きさとほぼ同一にしたが、面ファスナー１１１ａ，１１２ｂより小さくてもよいし、大きくてもよい。ただし、脱着部１１が面ファスナー１１１ａ，１１２ｂより小さければ、面ファスナー１１１ａ，１１２ｂを直接貼り合わせる部分が生じるので、手首を固定しやすい。
【００２６】
（実施形態２）
図３は、本発明の実施形態２に係る手袋落下防止具２０を示す（Ａ）平面図、（Ｂ）底面図であり、図４は、実施形態２に係る手袋落下防止具２０の使用状態を示す図である。
【００２７】
図３に示すように、手袋落下防止具２０は、脱着部２１と脱着部２１に取り付けられた環状部２２とを有している。脱着部２１は、矩形状の面部材であり、表に面ファスナー２１ａが設けられている。ただし、裏には面ファスナーは設けられていない。面ファスナー２１ａは、フック状に起毛された側又はループ状に密集して起毛された側である。
【００２８】
環状部２２は、作業者の手首に通すことのできる大きさの紐状部材である。材料は特に限定されないが、ゴム製とすることが好ましい。環状部２２は、脱着部２１の面部材の間に挿入されて縫着されている。
【００２９】
手袋落下防止具２０は、図４に示すような手袋１００の落下を防止するためのものである。手袋１００の詳細については、実施形態１と同様であるので説明を省略する。なお、手袋落下防止具２０の脱着部２１の大きさは、手袋１００の挿入用開口部２００の面ファスナー１１１ａ，１１２ｂより小さくなっている。
【００３０】
次に、図４を参照して、実施形態２に係る手袋落下防止具２０の使用方法について説明する。まず、手袋落下防止具２０の環状部２２を手首に通す。次に、手袋１００の挿入用開口部２００から手を挿入する。次に、手首部１１０の面ファスナー１１１ａ，１１２ｂを貼り合わせる前に、手袋落下防止具２０の脱着部２１を面ファスナー１１１ａの上に載せる。そして、手首部１１０の下側部１１１の上に上側部１１２を覆い被せるようにして、面ファスナー１１１ａと面ファスナー１１２ｂとを貼り合わせる。このとき、面ファスナー１１１ａと面ファスナー１１２ｂとの間には、手袋落下防止具２０の脱着部２１が挿入されているので、面ファスナー１１２ｂの中央部分は脱着部２１に貼り合わされ、面ファスナー１１２ｂの周辺部が面ファスナー１１１ａに直接貼り合わされる。このようにして、手袋１００の装着が完了する。
【００３１】
なお、面ファスナー１１１ａと面ファスナー１１２ｂとを貼り合わせる前の脱着部２１は、面ファスナー１１１ａの上に載せるのではなく、面ファスナー１１１ａ，１１２ｂのいずれかに貼り付けておいてもよい。
【００３２】
作業者が細かい作業をするために手袋１００を外す場合には、手首部１１０の下側部１１１から上側部１１２を剥がすようにする。そうすると、面ファスナー１１１ａと面ファスナー１１２ｂとの間に挿入された状態の脱着部２１は、面ファスナー１１２ｂに貼りついたままの状態になる。従って、手袋１００は、手袋落下防止具１０を介して手首にぶら下がった状態となり、落下することはない。細かい作業が終了して再び装着する場合には、改めて挿入用開口部２００から手を挿入し、手首部１１０の下側部１１１の上に上側部１１２を覆い被せるようにして、面ファスナー１１１ａと面ファスナー１１２ｂとを貼り合わせればよい。
【００３３】
なお、本実施形態では、手袋落下防止具２０の脱着部２１の大きさを、手袋１００の面ファスナー１１１ａ，１１２ｂより小さくした。これは、脱着部２１の面ファスナーを片面のみに設けたため、面ファスナー１１１ａ，１１２ｂを直接貼り合わせる部分が必要になるためである。もちろん、実施形態１と同様に、脱着部２１の両面に面ファスナーを設けることもできる。
【００３４】
図５は、他の実施形態に係る手袋落下防止具３０，４０，５０を示す平面図である。図５に示すように、手袋落下防止具の脱着部は様々な形状とすることができる。
【００３５】
本実施形態の手袋落下防止具１０，２０は、面ファスナー１１１ａ，１１２ｂを設けた挿入用開口部２００を有する手袋１００の落下を防止するための手袋落下防止具である。そして、面ファスナー１１ａ，１１ｂ，２１ａを設けた脱着部１１，２１と脱着部１１，２１に取り付けられた環状部１２，２２とを有しており、環状部１２，２２を手首に通し、脱着部１１，２１を挿入用開口部２００の面ファスナー１１１ａ，１１２ｂの間に挿入した後、挿入用開口部２００の面ファスナー１１１ａ，１１２ｂを貼り合わせるようになっている。従って、脱着部１１，２１を挿入用開口部２００の面ファスナー１１１ａ，１１２ｂの間に挿入して貼り合わせるだけで、手袋１００に容易に取り付けることができる。また、手袋１００を外すときにも、脱着部１１，２１が挿入用開口部２００の面ファスナー１１１ａ，１１２ｂに貼りついたままであるため、邪魔にならず手袋１００から外れにくい。
【００３６】
また、脱着部１１，２１の表裏に面ファスナー１１ａ，１１ｂが設けられている場合には、脱着部１１をより強固に手袋１００に取り付けることができる。
【００３７】
また、脱着部２１の大きさが挿入用開口部２００の面ファスナー１１１ａ，１１２ｂの大きさよりも小さい場合には、挿入用開口部２００の面ファスナー１１１ａ，１１２ｂが部分的に直接貼り付けられるので、手首を固定しやすく、また面ファスナーを脱着部２１の片面のみに設けることができる。
【００３８】
このように、本実施形態に係る手袋落下防止具１０，２０は、手袋１００への取り付けが容易であり、かつ手袋１００を外すときにも邪魔にならず手袋１００から外れにくい。
【００３９】
以上、本発明の実施形態に係る手袋落下防止具について説明したが、本発明は上述した実施の形態に限定されるわけではなく、その他種々の変更が可能である。例えば、面ファスナーの種類（起毛の形状等）は、特に限定されない。
【符号の説明】
【００４０】
１０    手袋落下防止具
１１    脱着部
１１ａ  面ファスナー
１１ｂ  面ファスナー
１２    環状部
２０    手袋落下防止具
２１    脱着部
２１ａ  面ファスナー
２２    環状部
３０    手袋落下防止具
３１    脱着部
３２    環状部
４０    手袋落下防止具
４１    脱着部
４２    環状部
５０    手袋落下防止具
５１    脱着部
５２    環状部
１００    手袋
１１０    手首部
１１１    下側部
１１１ａ  面ファスナー
１１２    上側部
１１２ｂ  面ファスナー
１２０    掌部
１３０    指部
２００    挿入用開口部
【図１】
2019099944.tif 000003
【図２】
2019099944.tif 000004
【図３】
2019099944.tif 000005
【図４】
2019099944.tif 000006
【図５】
2019099944.tif 000007